(57)【特許請求の範囲】
【請求項１】
屋根の傾斜方向における下方側の屋根材の一部に上方側の屋根材の一部が上に重なるようにして屋根材が並ぶ屋根の上に配線・配管材を固定するための、配線・配管材固定具であって、
前記屋根材に取り付けられるよう、前記下方側の屋根材と前記上方側の屋根材との重なり部分の隙間に外側から挿入される、被取付部と、前記配線・配管材を保持する保持部とを、備え、
前記被取付部は、被取付部本体と、その被取付部本体を前記隙間から抜け止めするようにその被取付部本体から、前記被取付部の挿入方向とは反対の反挿入方向を向くように斜めに起立して、前記上方側の屋根材に掛け止められる、爪部と、前記被取付部本体側に倒れた位置にある挟持部形成片とを、有し、
前記爪部は、前記被取付部本体に向かう側に弾性的に変形可能に形成されており、
前記挟持部形成片は、前記上方側の屋根材の前面部に当接して、前記上方側の屋根材に掛け止められた前記爪部とで前記上方側の屋根材を挟持する、挟持部となるよう、起こされた位置に塑性変形可能に形成されていることを特徴とする、配線・配管材固定具。
【請求項２】
前記挟持部形成片は、前記挿入方向にずれて、複数設けられることを特徴とする、請求項１に記載の配線・配管材固定具。
【請求項３】
前記配線・配管材固定具は、前記被取付部を有するベース体と、前記保持部を有して前記ベース体に着脱可能に取付け固定される保持部材とを備えることを特徴とする、請求項１または２に記載の配線・配管材固定具。
【請求項４】
前記ベース体は、前記保持部材が取付け固定される保持部材取付部を有し、
前記保持部材取付部は、上方に突出形成されて、前記保持部材の基部を止めるための固着具が挿入される、固着具挿入孔を有することを特徴とする、請求項３に記載の配線・配管材固定具。
【発明の詳細な説明】
【技術分野】
【０００１】
この発明は、屋根の上に配線・配管材を固定するための配線・配管材固定具に関するものである。
【背景技術】
【０００２】
従来、屋根にパイプ（配管材）を固定する固定具として、屋根に釘で取付け固定されるパイプ止め金具があった（例えば、特許文献１参照）。このパイプ止め金具は、帯状金属板を曲げて形成されるものであって、円弧状のパイプ押え部と、釘を通す挿通孔が設けられた平坦な被取付部とを備えていた。そこで、屋根にパイプを固定するにあたっては、このパイプ止め金具の二つを向き合わせて、パイプ押え部でパイプを挟んだ状態で、釘を被取付部の挿通孔から屋根の瓦の小孔を通して下地部分に打ち込んだ。
【先行技術文献】
【特許文献】
【０００３】
【特許文献１】実開平５−４５３７０号公報
【発明の概要】
【発明が解決しようとする課題】
【０００４】
ところで、前記従来のパイプ押え金具にあっては、釘を用いるために、瓦に小孔をあけたときとか、釘を打ち込んだときに、瓦が割れないように細心の注意を払わなければならず、その作業が厄介だった。
【０００５】
この発明は、上記した従来の欠点を解決するためになされたものであり、その目的とするところは、屋根に簡単に取り付けることができる、配線・配管材固定具を提供することにある。
【課題を解決するための手段】
【０００６】
この発明に係る配線・配管材固定具は、前記目的を達成するために、次の構成からなる。すなわち、
請求項１に記載の発明に係る配線・配管材固定具は、屋根の傾斜方向における下方側の屋根材の一部に上方側の屋根材の一部が上に重なるようにして屋根材が並ぶ屋根の上に配線・配管材を固定するための、配線・配管材固定具である。この配線・配管材固定具は、前記屋根材に取り付けられるよう、前記下方側の屋根材と前記上方側の屋根材との重なり部分の隙間に外側から挿入される、被取付部と、前記配線・配管材を保持する保持部とを、備える。ここで、前記被取付部は、被取付部本体と、その被取付部本体を前記隙間から抜け止めするようにその被取付部本体から、前記被取付部の挿入方向とは反対の反挿入方向を向くように斜めに起立して、前記上方側の屋根材に掛け止められる、爪部と、前記被取付部本体側に倒れた位置にある挟持部形成片とを、有する。そして、前記爪部は、前記被取付部本体に向かう側に弾性的に変形可能に形成されている。また、前記挟持部形成片は、前記上方側の屋根材の前面部に当接して、前記上方側の屋根材に掛け止められた前記爪部とで前記上方側の屋根材を挟持する、挟持部となるよう、起こされた位置に塑性変形可能に形成されている。
【０００７】
この配線・配管材固定具によると、配線・配管材を屋根に固定するにあたって、配線・配管材固定具の被取付部を、下方側の屋根材と上方側の屋根材との重なり部分の隙間に外側から挿入する。すると、爪部が、上方側の屋根材に掛け止められる。こうして、被取付部、ひいては配線・配管材固定具は、屋根に取り付けられる。そして、保持部で配線・配管材を保持する。このように、配線・配管材固定具を屋根に取り付けるとともに、保持部で配線・配管材を保持することで、配線・配管材は、屋根に固定される。ここで、挟持部形成片が起こされて形成される挟持部が、上方側の屋根材の前面部に当接して、上方側の屋根材に掛け止められた爪部とでその上方側の屋根材を挟持する。このため、この配線・配管材固定具を屋根にしっかりと取り付けることができる。また、ここにおいて、爪部は、被取付部本体に向かう側に弾性的に変形可能に形成されて、その爪部が被取付部本体に向かう側に変形して、被取付部は、外側から前記隙間に挿入され、挿入された後には、爪部が復帰するようにして上方側の屋根材に掛け止められる。なお、配線・配管材固定具を屋根に取り付ける作業と、保持部で配線・配管材を保持する作業の順序は、特に問わない。
【０００８】
【０００９】
【００１０】
【００１１】
また、請求項２に記載の発明に係る配線・配管材固定具は、請求項１に記載の配線・配管材固定具において、前記挟持部形成片は、前記挿入方向にずれて、複数設けられる。これにより、複数あるうちの所要の挟持部形成片を起こすことで、挟持部を形成することができ、種々の形状・大きさの屋根材に対応することができる。
【００１２】
また、請求項３に記載の発明に係る配線・配管材固定具は、請求項１または２に記載の配線・配管材固定具において、前記配線・配管材固定具は、前記被取付部を有するベース体と、前記保持部を有して前記ベース体に着脱可能に取付け固定される保持部材とを備える。
【００１３】
また、請求項４に記載の発明に係る配線・配管材固定具は、請求項３に記載の配線・配管材固定具において、前記ベース体は、前記保持部材が取付け固定される保持部材取付部を有する。その保持部材取付部は、上方に突出形成されて、前記保持部材の基部を止めるための固着具が挿入される、固着具挿入孔を有する。
【発明の効果】
【００１４】
この発明に係る配線・配管材固定具によれば、被取付部を屋根材の隙間に挿入することで、その被取付部に設けられた爪部により配線・配管材固定具を屋根に簡単に取り付けることができる。しかも、挟持部形成片が起こされて形成される挟持部が、爪部とで屋根材を挟持するため、この配線・配管材固定具を屋根にしっかりと取り付けることができる。
【図面の簡単な説明】
【００１５】
【図１】第一の実施の形態（本発明）の、全体の模式図である。
【図２】同じく、図１における要部拡大図である。
【図３】同じく、ベース体の拡大正面図である。
【図４】同じく、ベース体の拡大平面図である。
【図５】同じく、図４におけるＡ−Ａ線による断面図である。
【図６】第二の実施の形態（参考形態）の、全体の模式図である。
【図７】同じく、ベース体の拡大正面図である。
【図８】同じく、ベース体の拡大平面図である。
【図９】同じく、図８におけるＢ−Ｂ線による断面図である。
【図１０】他の実施の形態の、ベース体の拡大平面図である。
【図１１】同じく、図１０におけるＣ−Ｃ線による拡大断面図である。
【図１２】同じく、挟持部形成片を起こした状態を示す、図１１相当図である。
【図１３】同じく、挟持部形成片を折畳むようにして起こした状態を示す、図１１相当図である。
【発明を実施するための形態】
【００１６】
以下、この発明に係る配線・配管材固定具を実施するための形態を参考形態とともに図面に基づいて説明する。
【００１７】
図１〜図５は、第一の実施の形態（本発明）を示す。図中符号１は、屋根を示す。２は、前記屋根１を形成する屋根材を示す。すなわち、屋根１は、その屋根１の傾斜方向における下方側の屋根材２０１（２）の一部に上方側の屋根材２０２（２）の一部が上に重なるようにして屋根材２、２が並んで形成される。３は、前記屋根１の上に配線・配管される配線・配管材３（配線材または配管材）を示し、太陽光発電用の太陽電池に接続される電気ケーブル（配線材）とか、その電気ケーブルを収容保護する保護管とか、太陽光温水器に接続される通水管（配管材）とかからなる。４は、前記屋根１の上に配線・配管材３を固定するための、配線・配管材固定具を示す。
【００１８】
ここで、配線・配管材固定具４は、屋根材２に取り付けられるよう、下方側の屋根材２０１（２）と上方側の屋根材２０２（２）との重なり部分の隙間１ａに外側から挿入される、被取付部５と、配線・配管材３を保持する保持部６とを、備える。被取付部５は、被取付部本体５ａと爪部５ｂと挟持部５ｃ（詳しくは、後述する挟持部形成片５ｄ）とを有する。爪部５ｂは、被取付部本体５ａを前記隙間１ａから抜け止めするようにその被取付部本体５ａから、被取付部５の挿入方向Ｐとは反対の反挿入方向Ｑを向くように斜めに起立して、上方側の屋根材２０２（図示実施の形態においては、上方側の屋根材２０２の前側である前端に下方に向けて突出するように形成された前垂部２ａ）に掛け止められるものである。挟持部５ｃは、上方側の屋根材２０２の前面部としての前端面２ｂに当接して、上方側の屋根材２０２に掛け止められた爪部５ｂとで上方側の屋根材２０２を挟持するものである。
【００１９】
ここにおいて、爪部５ｂは、相対的に被取付部本体５ａに向かう側に弾性的に変形可能に形成されて、その爪部５ｂが相対的に被取付部本体５ａに向かう側に変形（弾性変形）して、被取付部５は、外側から前記隙間１ａに挿入され、挿入された後には、爪部５ｂが復帰（弾性復帰）するようにして上方側の屋根材２０２（図示実施の形態においては、上方側の屋根材２０２の前記前垂部２ａ）に掛け止められる。
【００２０】
また、挟持部５ｃは、挿入方向Ｐを向く側に傾斜している。そして、この挟持部５ｃは、上方側の屋根材２０２の前面部としての前端面２ｂを弾性的に押圧可能に形成されている。また、図示実施の形態においては、挟持部５ｃは、被取付部本体５ａ側に倒れた位置にある挟持部形成片５ｄが、起こされた位置に塑性変形して形成される。そして、この挟持部形成片５ｄは、前記挿入方向Ｐにずれて、複数設けられる。
【００２１】
具体的には、配線・配管材固定具４は、前記被取付部５を有するベース体７と、前記保持部６を有してベース体７に着脱可能に取付け固定される保持部材８とを備える。
【００２２】
ベース体７は、金属製であって、帯状の板材からなり、その長手方向の一方側（挿入方向Ｐ側）に、前記被取付部５を有し、他方側（反挿入方向Ｑ側）に、保持部材８が取付け固定される保持部材取付部７ａを有する。
【００２３】
被取付部５においては、前記爪部５ｂがベース体７の長手方向の一方端側（挿入方向Ｐの端側）に位置し、前記挟持部５ｃ（挟持部形成片５ｄ）がベース体７の中央側に位置するように並んでいる。爪部５ｂは、前記挿入方向Ｐに直交する、被取付部５の幅方向Ｒの両端縁において、前記反挿入方向Ｑを向くように斜め上方に起立する。そして、この爪部５ｂは、上方側の屋根材２０２の前垂部２ａに掛け止められる。詳細には、爪部５ｂは、ベース体７において被取付部本体５ａから前記反挿入方向Ｑを向くように斜めに切り起こされている。
【００２４】
挟持部形成片５ｄは、前記挿入方向Ｐにずれて、三つ設けられ、これら挟持部形成片５ｄ、５ｄは、被取付部５の幅方向Ｒの中間位置に設けられている。そして、これら挟持部形成片５ｄ、５ｄは、板材からなる被取付部５（ベース体７）における、コ字状に打ち抜かれた抜き孔５ｅに囲まれた部分からなる。そこで、図示実施の形態においては、挿入方向Ｐの先端側から数えた一つ目の挟持部形成片５ｄが起こされて、挟持部５ｃが形成されている。そこで、この挟持部５ｃは、平板形状の突片からなる。なお、この挟持部形成片５ｄを起こすのは、被取付部５を隙間１ａに挿入する前でも、挿入した後でもよい。また、この挟持部形成片５ｄを、例えば直立に起こした後に、被取付部５を隙間１ａに挿入し、その後に、挟持部形成片５ｄ（挟持部５ｃ）を、挿入方向Ｐを向く側に傾斜させてもよい。
【００２５】
また、挟持部形成片５ｄには、その挟持部形成片５ｄを起こすための工具が差し入れられる工具挿入孔５ｆがあけられている。ここで、工具挿入孔５ｆは、起こされない挟持部形成片５ｄにおいては、ベース７体、ひいては、配線・配管材固定具４を屋根材２に取り付けるための取付孔５ｇとなる。このため、配線・配管材固定具４を、取付孔５ｇを挿通して屋根材２にねじ込まれるビスによっても、屋根材２（つまり、屋根１）に取り付けることができる。
【００２６】
また、被取付部５には、接着材充填部５ｈが設けられており、ベース体７、ひいては、配線・配管材固定具４を、接着材によっても、屋根材２（つまりは、屋根１）に取り付けることができる。この接着材充填部５ｈは、上方に膨出形成され、その内部は、接着材の充填空間５ｉとなって、屋根材２の上面に臨むように下方が開放するとともに、前記反挿入方向Ｑ側が後に詳述する保持部材取付部７ａの内側に連通している（図５参照）。そして、この接着材充填部５ｈには、上面に、充填空間５ｉに接着材を充填するための充填孔５ｊがあけられている。
【００２７】
ベース体７における保持部材取付部７ａは、上方に突出形成されて（図示実施の形態においては、上方に突出するよう屈曲あるいは湾曲形成されて）、保持部材８の基部８ａを止めるための固着具９が挿入される、固着具挿入孔７ｂを有する。図示実施の形態においては、固着具９は、ビス９ａからなり、固着具挿入孔７ｂは、そのビス９ａが螺合する螺合孔からなって、保持部材８の基部８ａに設けられた通孔８ｂに挿入されたビス９ａが、固着具挿入孔７ｂに螺合することで、保持部材８は、ベース体７の保持部材取付部７ａに取付け固定される。
【００２８】
また、保持部材８は、金属製であって、帯状の板材からなり、その長手方向の一方側に前記保持部６を有し、他方側に前記基部８ａを有する。保持部６は、逆Ｕ字状に曲げられて、その内側に配線・配管材３が保持される。つまり、保持部６に配線・配管材３を通したり保持部６を配線・配管材３に掛けたりすることで、配線・配管材３は保持される。そして、基部８ａは、保持部６の逆Ｕ字状の一端から直角に折れ曲がって形成され、その板面を貫通するようにして前記通孔８ｂが設けられる。
【００２９】
次に、この第一の実施の形態に示す配線・配管材固定具４の作用効果について説明する。この配線・配管材固定具４によると、配線・配管材３を屋根１に固定するにあたって、配線・配管材固定具４の被取付部５を、下方側の屋根材２０１と上方側の屋根材２０２との重なり部分の隙間１ａに外側から挿入する。すると、相対的に被取付部本体５ａに向かう側に変形（弾性変形）した爪部５ｂが、復帰（弾性復帰）するようにして上方側の屋根材２０２（図示実施の形態においては、上方側の屋根材２０２の前垂部２ａ、詳しくは、前垂部２ａの内側面）に掛け止められる。こうして、被取付部５、ひいては配線・配管材固定具４は、屋根１に取り付けられる。そして、保持部６で配線・配管材３を保持する。もっとも、配線・配管材固定具４を屋根１に取り付ける作業と、保持部６で配線・配管材３を保持する作業の順序は、特に問わない。
【００３０】
ここで、図示実施の形態では、配線・配管材固定具４は、被取付部５を有するベース体７と、保持部６を有する保持部材８とに分かれている。このため、ベース体７に保持部材８が取付け固定された状態で、保持部６に配線・配管材３を通したり保持部６を配線・配管材３に掛けたりする以外に、保持部材８単独の状態で、保持部６に配線・配管材３を通したり保持部６を配線・配管材３に掛けたりし、その後に、保持部材８をベース体７に取付け固定することもできる。
【００３１】
このように、配線・配管材固定具４を屋根１に取り付けるとともに、保持部６で配線・配管材３を保持することで、配線・配管材３は、屋根１に固定される。そして、この配線・配管材固定具４によれば、被取付部５を屋根材２０１（２）、２０２（２）の隙間１ａに挿入することで、その被取付部５に設けられた爪部５ｂにより配線・配管材固定具４を屋根１に簡単に取り付けることができる。そして、挟持部形成片５ｄが起こされて形成される挟持部５ｃが、上方側の屋根材２０２の前面部としての前端面２ｂに当接して、上方側の屋根材２０２に掛け止められた爪部５ｂとでその上方側の屋根材２０２を挟持する。このため、この配線・配管材固定具４を屋根１にしっかりと取り付けることができる。
【００３２】
また、爪部５ｂは、被取付部５の幅方向Ｒに二つが並んで設けられている。これにより、爪部５ｂは、被取付部５の幅方向Ｒに並ぶ二つが、屋根材２に掛け止められ、このため、配線・配管材固定具４は、回り難くなる。特に、図示実施の形態においては、被取付部５の幅方向Ｒに並ぶ二つの爪部５ｂ、５ｂは、被取付部５の幅方向Ｒの両端縁に設けられるため、配線・配管材固定具４は、より効果的に回り難くなる。
【００３３】
また、挟持部５ｃは、被取付部５の挿入方向Ｐを向く側に傾斜しており、その傾斜する挟持部５ｃが上方側の屋根材２０２（２）の前面部としての前端面２ｂを弾性的に押圧する。このため、挟持部５ｃは、爪部５ｂとで、屋根材２を確実に挟持することができる。
【００３４】
また、挟持部形成片５ｄは、前記挿入方向Ｐにずれて、複数設けられ、その複数あるうちの所要の挟持部形成片５ｄを起こすことで、挟持部５ｃを形成することができる。このため、種々の形状・大きさの屋根材２に適切に対応することができる。
【００３５】
また、挟持部形成片５ｄに工具挿入孔５ｆがあけられることから、この工具挿入孔５ｆに、ドライバー等の工具を差し入れることで、容易に挟持部形成片５ｄを起こして挟持部５ｃを形成することができる。
【００３６】
また、被取付部５には、接着材充填部５ｈやビスが挿通される取付孔５ｇ（工具挿入孔５ｆ）が設けられている。このため、この配線・配管材固定具４を、爪部５ｂに加えて、接着材やビスを用いることでも、屋根１に取り付けることができる。
【００３７】
図６〜図９は、第二の実施の形態（参考形態）を示す。この実施の形態は、第一の実施の形態とは、爪部５ｂが掛け止められる屋根材２が異なるが、他はほぼ同様であり、以下に、同様の部位には同一の符号を付して、異なる部分を主に説明する。
【００３８】
この配線・配管材固定具４においては、爪部５ｂは、被取付部５の挿入方向Ｐとは反対の反挿入方向Ｑを向くように斜めに（詳細には、斜め下方に）起立して、下方側の屋根材２０１（図示実施の形態においては、下方側の屋根材２０１の後面部としての後端面２ｄ）に掛け止められる。そして、挟持部５ｃは、上方側の屋根材２０２の前面部としての前端面２ｂに当接して、下方側の屋根材２０１に掛け止められた爪部５ｂとで上方側の屋根材２０２および下方側の屋根材２０１を挟持する。ここにおいて、爪部５ｂは、相対的に被取付部本体５ａに向かう側に弾性的に変形可能に形成されて、その爪部５ｂが相対的に被取付部本体５ａに向かう側に変形（弾性変形）して、被取付部５は、外側から前記隙間１ａに挿入され、挿入された後には、爪部５ｂが復帰（弾性復帰）するようにして下方側の屋根材２０１（図示実施の形態においては、下方側の屋根材２０１の後面部としての後端面２ｄ）に掛け止められる。
【００３９】
この配線・配管固定具４は、爪部５ｂが、下方側の屋根材２０１の後面部としての後端面２ｄに掛け止められることから、ベース体７は、前記挿入方向Ｐに長く形成される。そして、ベース体７における保持部材取付部７ａには、固着具挿入孔７ｂの他に、保持部材８を位置決めするための位置決め突起７ｃ、７ｃが設けられている。
【００４０】
この第二の実施の形態に示す配線・配管材固定具４の作用効果は、第一の実施の形態に示す配線・配管材固定具４とは、爪部５ｂが掛け止められる屋根材２が異なることから、以下の違いがあるが、他は同様である。すなわち、配線・配管材３を屋根１に固定するにあたって、配線・配管材固定具４の被取付部５を、下方側の屋根材２０１と上方側の屋根材２０２との重なり部分の隙間１ａに外側から挿入する。すると、相対的に被取付部本体５ａに向かう側に変形（弾性変形）した爪部５ｂが、復帰（弾性復帰）するようにして下方側の屋根材２０１（図示実施の形態においては、下方側の屋根材２０２の後面部としての後端面２ｄ）に掛け止められる。こうして、被取付部５を屋根材２０１（２）、２０２（２）の隙間１ａに挿入することで、その被取付部５に設けられた爪部５ｂにより配線・配管材固定具４を屋根１に簡単に取り付けることができる。そして、被取付部５が有する挟持部５ｃが、上方側の屋根材２０２の前面部としての前端面２ｂに当接して、下方側の屋根材２０１に掛け止められた爪部５ｂとで上方側の屋根材２０２および下方側の屋根材２０１を挟持する。このため、この配線・配管材固定具４を屋根１にしっかりと取り付けることができる。
【００４１】
なお、本発明および参考形態は、上述した実施の形態に限定されるわけではなく、その他種々の変更が可能である。例えば、複数ある挟持部形成片５ｄ、５ｄは、それぞれが離れて設けられなくとも、図１０〜図１３に示すように、被取付部５の挿入方向Ｐに連続して設けられてもよい。これら連続する挟持部形成片５ｄ、５ｄは、被取付部５の挿入方向Ｐに延びる二本の孔とそれら孔を反挿入方向Ｑにおいて繋ぐ孔とで構成される抜き孔５ｅに囲まれた部分からなる。そして、それぞれの挟持部形成片５ｄ、５ｄの境界部分には、切欠き５ｋ、５ｋが設けられ、その切欠き５ｋ、５ｋによってそれぞれの挟持部形成片５ｄ、５ｄが、区分けされる。そこで、配線・配管材固定具４を使用する際には、図１２に示すように、所要の挟持部形成片５ｄよりも反挿入方向Ｑ側の挟持部形成片５ｄを切除し、その所要の挟持部形成片５ｄを起こすことで、挟持部５ｃを形成する。あるいは、図１３に示すように、所要の挟持部形成片５ｄと、その挟持部形成片５ｄに対し反挿入方向Ｑ側において隣接する挟持部形成５ｄを折畳むようにして起こすことで、挟持部５ｃを形成してもよい。
【００４２】
また、挟持部形成片５ｄは、複数設けられなくとも、一つであってもよい。
【００４３】
また、挟持部５ｃは、被取付部５の挿入方向Ｐを向く側に傾斜しなくとも、直立していてもよい。
【００４４】
また、挟持部５ｃは、上方側の屋根材２０２の前面部としての前端面２ｂを弾性的に押圧するものでなくとも、屋根材２が挟持されれば、当接するのみであってもよい。さらには、ベース体７（配線・配管材固定具４）が回りあるいは遥動し始めたときに挟持部５ｃが前端面２ｂにすぐに当接して屋根材２が挟持され、これによってベース体７（配線・配管材固定具４）の回りとか遥動が制限されるのであれば、挟持部５ｃと前端面２ｂとの間に僅かの隙間を有していてもよい。
【００４５】
また、挟持部５ｃは、挟持部形成片５ｄが起こされて形成されなくとも、始めから起きた状態に形成されたものでもよい。
【００４６】
また、保持部材８は、ベース体７の保持部材取付部７ａにビス９ａ（固着具９）を用いて取付け固定されなくとも、固着具９を用いることなく、保持部材取付部７ａに嵌合したり係止されたりして取付け固定されてもよい。
【００４７】
また、ベース体７と保持部材８とは、金属製でなくとも、例えば合成樹脂製であってもよい。
【００４８】
また、配線・配管材固定具４は、被取付部５を有するベース体７と、保持部６を有する保持部材８とに分離されて構成されなくとも、それら被取付部５と保持部６とが一体に形成されてもよい。
【００４９】
また、第一の実施の形態において、爪部５ｂは、上方側の屋根材２０２の前垂部２ａに掛け止められなくとも、例えば、上方側の屋根材２０２の下面の中間位置に設けられる突起部とか凹部に掛け止められてもよい。同様に、第二の実施の形態において、爪部５ｂは、下方側の屋根材２０１の後面部としての後端面２ｄに掛け止められなくとも、例えば、下方側の屋根材２０１の上面の中間位置に設けられる突起部とか凹部に掛け止められてもよい。
【符号の説明】
【００５０】
１  屋根
１ａ  隙間
２  屋根材
２０１  下方側の屋根材
２０２  上方側の屋根材
２ｂ  前端面（前面部）
３  配線・配管材
４  配線・配管材固定具
５  被取付部
５ａ  被取付部本体
５ｂ  爪部
５ｃ  挟持部
５ｄ  挟持部形成片
６  保持部
７  ベース体
７ａ  保持部材取付部
７ｂ  固着具挿入孔
８  保持部材
８ａ  基部
９  固着具
Ｐ  挿入方向
Ｑ  反挿入方向
【図１】
0005960301.tif 000002
【図２】
0005960301.tif 000003
【図３】
0005960301.tif 000004
【図４】
0005960301.tif 000005
【図５】
0005960301.tif 000006
【図６】
0005960301.tif 000007
【図７】
0005960301.tif 000008
【図８】
0005960301.tif 000009
【図９】
0005960301.tif 000010
【図１０】
0005960301.tif 000011
【図１１】
0005960301.tif 000012
【図１２】
0005960301.tif 000013
【図１３】
0005960301.tif 000014